(57)【特許請求の範囲】
【請求項１】
夜間金庫への預け入れを行う現金・有価証券およびその明細を記入した入金伝票を収納する収納バッグを電気的に施錠するための施錠手段と、暗証番号、および、顧客の口座を特定するためのＩＤデータを記憶する記憶手段と、夜間金庫処理を行う事務センターとの情報通信を非接触で行う通信手段と、この通信手段が受信した情報が前記記憶手段に記憶された前記暗証番号と一致する番号情報を含む場合には前記施錠手段に解錠動作を行わせ、且つ、前記通信手段が受信した情報がＩＤデータ読出命令を含む場合には、前記記憶手段に記憶された前記ＩＤデータを前記通信手段から送信させる制御手段と、を備えた収納バッグ用ロック装置と、
前記通信手段に解錠命令および暗証番号を含む情報を送信させ、または、ＩＤデータ読出命令を含む情報を送信させる通信制御手段と、前記通信手段が受信したＩＤデータを表示する表示手段とを備え、前記事務センターに設置された、外部コントローラと、
を備えた収納システム。
【請求項２】
夜間金庫への預け入れを行う現金・有価証券およびその明細を記入した入金伝票を収納する収納バッグを電気的に施錠するための施錠手段と、暗証番号、顧客の口座を特定するためのＩＤデータ、および、利用者が入力した収納明細データを記憶する記憶手段と、夜間金庫処理を行う事務センターとの情報通信を非接触で行う通信手段と、この通信手段が受信した情報が前記記憶手段に記憶された前記暗証番号と一致する番号情報を含む場合には前記施錠手段に解錠動作を行わせ、且つ、前記通信手段が受信した情報がＩＤデータ読出命令を含む場合には、前記記憶手段に記憶された前記ＩＤデータを前記通信手段から送信させ、且つ、前記通信手段が受信した情報が収納明細データ読み出命令を含む場合には前記記憶手段に記憶された前記収納明細データを前記通信手段から送信させる制御手段とを備えた収納バッグ用ロック装置と、
収納バッグから取り出した現金を計数する計数手段と、前記通信手段にＩＤデータ読出命令を含む情報を送信させ、収納明細データ読み出し命令を含む情報を送信させ、または、解錠命令および暗証番号を含む情報を送信させる通信制御手段と、前記通信手段が受信した収納明細データと前記計数手段の計数結果とを照合する照合手段と、前記通信手段が受信したＩＤデータによって特定された顧客口座に対して前記収納明細データが示す金額の入金処理を行わせる処理手段とを備え、前記事務センターに設置された外部コントローラと、
を備えた収納システム。
【発明の詳細な説明】
【０００１】
【産業上の利用分野】
本発明は、金融機関等において使用される収納システムに係り、特に夜間金庫の現金収納バッグ等に使用される収納バッグ用ロック装置およびこの収納バッグ用ロック装置に使用する外部コントローラを含む収納システムに関する。
【０００２】
【従来の技術】
従来の収納バッグ用ロック装置について、銀行の夜間金庫で使用される現金収納バッグ用のものを例にとって説明する。
【０００３】
通常、銀行等においては、営業時間終了後においても預け入れを行うことができるように夜間金庫を設置し、顧客の便を図っている。以下、夜間金庫における一連の処理の例について説明する。
【０００４】
まず、顧客が夜間金庫への預入れを行う場合は、預け入れを行う現金或いは有価証券（小切手、手形）の明細を入金伝票に記載し、この入金伝票を現金・有価証券とともに銀行が予め定めた収納バッグ（鞄）に収納する。そして、この収納バッグを機械式の施錠装置で施錠して、銀行の所定の営業店の夜間金庫の投入口に投入する。
【０００５】
銀行の営業店では、担当者が翌営業日に夜間金庫を開き、投入された収納バッグの個数をチェックするとともに事務センターに送るための送付票を作成し、一括して事務センターに送る。
【０００６】
銀行の事務センターでは、送られて来た収納バッグの個数を営業店毎にチェックし、収納バッグの施錠装置を手作業で一個ずつ解錠する。その後、送付票に記載された収納バッグ数と実際の収納バッグの数とを照合した後、内部の現金や小切手等の有価証券と伝票を取出す。そして、現金は計数機等により計数し、また、伝票に記入されているデータは精算装置に手入力して、明細伝票の記載と実際の現金や小切手等との照合を行う。この照合の結果、問題がなければ、各顧客の口座への入金処理を行う。その後、収納バッグのヘッダカードと返送先支店名とを照合して、各営業店に事務センターから収納バッグを返送する。
【０００７】
【発明が解決しようとする課題】
上述のように、従来の収納バッグでは機械式の施錠装置を使用しており、銀行の事務センターで、１個ずつ手作業で解錠していた。ここで、このような解錠作業は、その施錠装置に対応するキーを複数種類（通常は５種類ぐらい）あるマスター・キーから捜し出して解錠しなければならないので、収納バッグの個数が多い場合には非常に手間と時間とがかかるという欠点があった。
【０００８】
また、上述のように、従来は、解錠後に、収納バックに収納された現金や小切手等と入金伝票の記載内容との照合作業を行う必要があった。しかし、この照合作業も、入金伝票内容と現金計数機の計数結果との照合を目視で行う必要があることなど、手作業に頼る部分が多かったので、非常な労力を必要とし、また、作業ミスが生じるおそれがあった。
【０００９】
さらに、従来は、銀行の事務センターで収納バッグの施錠装置を解錠するまでは、この収納バッグの収納内容については顧客しか知らず、営業店においてはせいぜい収納バッグの個数の確認ができる程度であった。このため、収納バッグの紛失や盗難等が発生したときに対策を取り難いという欠点があった。
【００１０】
一方、収納バックに収納された現金や小切手等と入金伝票の記載内容との照合の自動化を図った現金収納手段としては、例えば、特開平3-122789号公報で技術開示された「夜間金庫等の自動入金装置に用いる入金用カセット」が知られている。この入金用カセットは、金属製のフレームでできており、預金金額、金種のデータを記憶する手段を有している。
【００１１】
しかし、この入金用カセットは金属製なので重量が大きく、持ち運びに不便である。このため、従前のような収納バッグを使用できるものの方が好ましい。
【００１２】
本発明は上記問題点に鑑みてなされたものであり、解錠作業や収納物の照合作業が容易で、作業ミスや紛失、盗難を防止することができる、収納バッグ用ロック装置およびこの収納バッグ用ロック装置に使用する外部コントローラを含む収納システムを提供することを目的とする。
【００１３】
【課題を解決するための手段】
第１の発明に係る収納システムは、
夜間金庫への預け入れを行う現金・有価証券およびその明細を記入した入金伝票を収納する収納バッグを電気的に施錠するための施錠手段と、暗証番号、および、顧客の口座を特定するためのＩＤデータを記憶する記憶手段と、夜間金庫処理を行う事務センターとの情報通信を非接触で行う通信手段と、この通信手段が受信した情報が前記記憶手段に記憶された前記暗証番号と一致する番号情報を含む場合には前記施錠手段に解錠動作を行わせ、且つ、前記通信手段が受信した情報がＩＤデータ読出命令を含む場合には、前記記憶手段に記憶された前記ＩＤデータを前記通信手段から送信させる制御手段と、を備えた収納バッグ用ロック装置と、
前記通信手段に解錠命令および暗証番号を含む情報を送信させ、または、ＩＤデータ読出命令を含む情報を送信させる通信制御手段と、前記通信手段が受信したＩＤデータを表示する表示手段とを備え、前記事務センターに設置された、外部コントローラと、を備えたことを特徴とする。
また、第２の発明に係る収納システムは、
夜間金庫への預け入れを行う現金・有価証券およびその明細を記入した入金伝票を収納する収納バッグを電気的に施錠するための施錠手段と、暗証番号、顧客の口座を特定するためのＩＤデータ、および、利用者が入力した収納明細データを記憶する記憶手段と、夜間金庫処理を行う事務センターとの情報通信を非接触で行う通信手段と、この通信手段が受信した情報が前記記憶手段に記憶された前記暗証番号と一致する番号情報を含む場合には前記施錠手段に解錠動作を行わせ、且つ、前記通信手段が受信した情報がＩＤデータ読出命令を含む場合には、前記記憶手段に記憶された前記ＩＤデータを前記通信手段から送信させ、且つ、前記通信手段が受信した情報が収納明細データ読み出命令を含む場合には前記記憶手段に記憶された前記収納明細データを前記通信手段から送信させる制御手段とを備えた収納バッグ用ロック装置と、
収納バッグから取り出した現金を計数する計数手段と、前記通信手段にＩＤデータ読出命令を含む情報を送信させ、収納明細データ読み出し命令を含む情報を送信させ、または、解錠命令および暗証番号を含む情報を送信させる通信制御手段と、前記通信手段が受信した収納明細データと前記計数手段の計数結果とを照合する照合手段と、前記通信手段が受信したＩＤデータによって特定された顧客口座に対して前記収納明細データが示す金額の入金処理を行わせる処理手段とを備え、前記事務センターに設置された外部コントローラと、を備えたことを特徴とする。
【００１４】
【作用】
（１）  第１の発明に係る収納システムは、収納バッグ用ロック装置と外部コントローラからなり、収納バッグ用ロック装置は、通信手段が受信した情報が記憶手段に記憶された暗証番号と一致する番号情報を含む場合には施錠手段に解錠動作を行わせることとし、且つ、通信手段が受信した情報がＩＤデータ読出命令を含む場合には記憶手段に記憶されたＩＤデータを通信手段から送信させることとしたものであり、これにより解錠作業を容易化することができることに加えて、解錠することなくＩＤデータを読み出すことができるので紛失や盗難の対策上有効である。また、外部コントローラは、通信手段に解錠命令および暗証番号を送信させるとともに、ＩＤデータ読出命令も送信させて、この通信手段が受信したＩＤデータを表示手段に表示する事としたものである。これにより、解錠作業を容易化できることに加えて、利用者のＩＤデータの確認を容易化することができる。
（２）  また、第２の発明にかかる収納システムは、収納バッグ用ロック装置と外部コントローラからなり、収納バッグ用ロック装置は、通信手段が受信した情報が記憶手段に記憶された暗証番号と一致する番号情報を含む場合には施錠手段に解錠動作を行わせることとし、通信手段が受信した情報がＩＤデータ読出命令を含む場合には記憶手段に記憶されたＩＤデータを通信手段から送信させることとし、且つ、通信手段が受信した情報が収納明細データ読み出し命令を含む場合には記憶手段に記憶された収納明細データを通信手段から送信させることとしたものであり、これにより解錠作業を容易化することができ、解錠することなくＩＤデータを読み出すことができることに加えて、収納明細データを自動的に読み出すことができるので、収納バッグに実際に収納されている現金等と利用者が入力した収納明細との照合を自動化する上で有効である。また、外部コントローラは、通信手段に解錠命令および暗証番号を送信させるとともに、ＩＤデータ読出命令も送信させて、この通信手段が受信したＩＤデータを表示手段に表示する事としたものである。これにより、解錠作業を容易化できることに加えて、利用者のＩＤデータの確認を容易化することができる。
【００１５】
【実施例】
以下、本発明の実施例について、図面を用いて説明する。
【００１６】
まず、本発明の前提となる収納バッグ用ロック装置および外部コントローラを含む収納システムを銀行の夜間金庫処理に利用する場合について説明する。
【００１７】
図１は、収納バッグ用ロック装置１００の外観を概略的に示す斜視図である。また、図２は、図１に示した収納バッグ用ロック装置１００の電気的構成を示すブロック図である。
【００１８】
同図において、施錠部１１０は、ファスナー用ロック部１１１と、解錠制御部１１２とを備えている。施錠を行うときは、ファスナー用ロック部１１１に夜間金庫用の収納バッグの固定部１１１ａを挿入してロックする。また、解錠制御部１１２は、制御手段１４０（後述）の制御により、ファスナー用ロック部１１１の解錠を行う。
【００１９】
記憶部１２０には、予め定められた暗証番号が、銀行側によって記録されている。
【００２０】
通信部１３０は、発光ダイオード等による送信と光センサ等による受信とを行う赤外線送受信部１３１を備えている。そして、この赤外線送受信部１３１で受信した赤外線信号を電気信号に変換して制御部１４０に送り、また、制御部１４０から入力した電気信号を赤外線信号に変換して送信する。
【００２１】
制御部１４０は、通信部１３０が解錠命令と暗証番号とを受信した場合には、この受信した暗証番号と記憶部１２０に記憶された暗証番号と照合し、両者が一致する場合には、施錠部１１０内の解錠制御部１１２に、ファスナー用ロック部１１１の解錠を行わせる。
【００２２】
電池収納部１５０には、この収納バッグ用ロック装置１００を駆動させるための電池１５１が収納される。なお、この電池収納部１５０に代えて収納バッグ用ロック装置１００の筐体１００ａに太陽電池を設けることとしてもよく、また、このような太陽電池を電池収納部１５０に収納された電池１５１と併用してもよい。
【００２３】
電池切ランプ１６０は、電池収納部１５０内に収納された電池１５１の電圧が低下している時に点灯して、電池交換が必要であることを知らせる。
【００２４】
キー挿入部１７０には、ファスナー用ロック部１１１の解錠を手動で行う場合に、キーが差し込まれる。このキー挿入部１７０は、顧客が自分で施錠したファスナー用ロック部１１１を解錠したい場合や、回路部の故障等のために外部コントローラ（後述）を用いた解錠ができなくなった場合等に使用される。
【００２５】
図３は、外部コントローラ３００の電気的構成を示すブロック図である。
【００２６】
通信部３１０は、赤外線送受信部３１１を備えている。そして、この赤外線送受信部３１１で受信した赤外線信号を電気信号に変換してＣＰＵ３３０に送り、また、ＣＰＵ３３０から入力した電気信号を赤外線信号に変換して送信する。
【００２７】
入力部３２０は、銀行側担当者が外部コントローラ３００を操作するために使用される。
【００２８】
ＣＰＵ（本発明の「通信制御手段」に相当する）３３０は、収納バッグ用ロック装置１００を解錠する旨の信号を入力部３２０から入力すると、記憶部３４０に記憶された暗証番号を読み出し、この暗証番号と解錠命令とを、通信部３１０から送信させる。
【００２９】
続いて、この収納バッグ用ロック装置１００および外部コントローラ３００を利用した夜間金庫処理の手順について、図４のフローチャートを用いて説明する。
【００３０】
まず、顧客は、夜間金庫に預け入れる現金や有価証券（小切手、手形）の明細を入金伝票に手書きで記載する（Ｓ４０１）。また、この例では、ＩＤデータ（顧客の口座のある店番号、当座預金か普通預金かを示す科目、口座番号、収納バッグが複数個ある場合は何番目の収納バッグであるかを示す枝番号、入金者のＩＤ番号等からなるデータ）も、この入金伝票に記載される。
【００３１】
そして、この入金伝票を、現金・有価証券とともに銀行が予め定めた収納バッグ（鞄）に収納し（Ｓ４０２）、さらに、この収納バッグを収納バッグ用ロック装置１００で施錠する（Ｓ４０３）。この収納バッグ用ロック装置１００の施錠は、手作業で行われる。ここで、収納バッグ用ロック装置１００の記憶部１２０には、暗証番号（収納バッグ用ロック装置１００の解錠の際に使用する）が、銀行の営業店で予め記録されている。また、収納バッグにも、銀行の営業店によって予め枝番号が書き込まれている。
【００３２】
そして、顧客は、銀行の所定の営業店まで収納バッグを運んで、夜間金庫の投入口に投函する（Ｓ４０４）。この投函の際には、まず顧客が夜間金庫のカード挿入孔からキャッシュカードを挿入すると、この夜間金庫のシャッターが開く。続いて、顧客が収納バッグを投函すると、夜間金庫のシャッターが閉じられ、キャッシュカードの返還と受領証の発行とが行われる。ここで、夜間金庫に一度に投函する収納バッグは１個のみである。したがって、収納バッグが２個以上ある場合は、顧客は再びキャッシュカードを挿入し、上述の手続きを繰り返す（Ｓ４０５）。
【００３３】
翌朝、営業店では、投函された収納バッグを夜間金庫から取り出し、事務センターへ提出するための送付表を作成する（Ｓ４０６）。この送付表には、夜間金庫に投函された収納バッグの数が、顧客別に書き込まれる。そして、この送付表と収納バッグとが、銀行の事務センターへ輸送される。
【００３４】
銀行の事務センターでは、送られて来た収納バッグの個数を、各営業店からの送付表と照合する（Ｓ４０７）。そして、外部コントローラ３００を用いて、各収納バッグ施錠装置１００の解錠を行う（Ｓ４０８）。ここで、すべての収納バッグ施錠装置１００の暗証番号を同一にしておけば、各収納バッグ施錠装置１００の解錠を同時に行うことができる。
【００３５】
続いて、解錠後の収納バッグから現金や小切手等の有価証券と入金伝票とを取出す（Ｓ４０９）。そして、現金は計数機等により計数し（Ｓ４１０）、また、伝票に記入されているデータは精算装置に入力して、明細伝票の記載と実際の現金や小切手等との照合を行う（Ｓ４１１）。この照合の結果、問題がなければ、各顧客の口座への入金処理を行う（Ｓ４１２）。その後、収納バッグのヘッダカードと返送先支店名とを照合して、各営業店経由で顧客に収納バッグを返送する（Ｓ４１３）。
【００３６】
このように、この例の収納バッグ用ロック装置１００と外部コントローラ３００とを用いることにより、非接触の通信により解錠を行うことができるので、多数個の収納バッグ用ロック装置の解錠を迅速に行うことが可能となり、機械的な施錠装置を用いる場合と比較して、解錠作業を容易化することができる。特に、すべての収納バッグ用ロック装置１００の暗証番号を同一にしておけば、多数個の収納バッグ用ロック装置の解錠を同時に行うことができるので、解錠作業の容易化の上で有効である。
【００３７】
（実施例１）
次に、第１の実施例として、収納バッグ用ロック装置およびその外部コントローラを含む収納システムを銀行の夜間金庫処理に利用する場合について説明する。
【００３８】
図５は、本実施例に係る収納バッグ用ロック装置５００の電気的構成を示すブロック図である。なお、本実施例に係る収納バッグ用ロック装置の外観は、上述の例の場合と同様であるので、説明を省略する。
【００３９】
図５において、図２と同じ符号を付した構成部分は、それぞれ図２の場合と同じものを示す。
【００４０】
記憶部５１０は、暗証番号に加えて、顧客の口座番号等からなるＩＤデータ（顧客の口座のある店番号、当座預金か普通預金かを示す科目、口座番号、収納バッグが複数個ある場合は何番目の収納バッグであるかを示す枝番号、入金者のＩＤ番号等からなるデータ）が、銀行側によって予め記録されている。
【００４１】
制御部５２０は、通信部１３０が解錠命令と暗証番号とを受信した場合には、この受信した暗証番号と記憶部１２０に記憶された暗証番号と照合し、両者が一致する場合には、施錠部１１０内の解錠制御部１１２に、ファスナー用ロック部１１１の解錠を行わせる。また、これに加えて、通信部１３０がＩＤデータ読出命令を受信した場合には、記憶部１２０が記憶しているＩＤデータを読み出し、通信部１３０に送信させる。
【００４２】
図６は、本実施例に係る外部コントローラ６００の外観図である。また、図７は、本実施例に係る外部コントローラ６００の電気的構成を示すブロック図である。
【００４３】
図６および図７において、図３と同じ符号を付した構成部分は、それぞれ図３の場合と同じものを示す。
【００４４】
表示部６１０およびプリンタ６２０は、第５の発明の「表示手段」に相当する。表示部３２０は、ＣＰＵ６３０の制御にしたがって、ＩＤデータをディスプレイ表示する。また、プリンタ６２０は、ＣＰＵ６３０の制御にしたがって、ＩＤデータを印字出力する。
【００４５】
ＣＰＵ６３０（「通信制御手段」に相当する）は、収納バッグ用ロック装置５００を解錠する旨の信号を入力部６６０（後述）から入力すると、記憶部６４０に記憶された暗証番号を読み出し、この暗証番号と解錠命令とを、外部ハンディコントローラ６５０（後述）から送信させる。また、ＩＤデータを読み出す旨の信号を入力部６６０から入力すると、外部ハンディコントローラ６５０にＩＤデータ読出命令を送信させ、この外部ハンディコントローラ６５０がＩＤデータを受信するとこの受信データを取り込んで記憶部６４０に格納する。さらに、このＩＤデータをディスプレイ表示または印字出力する旨の信号を入力部６６０から入力すると、記憶部６４０内のＩＤデータを読み出して表示部６１０に表示させ、或いは、プリンタ６２０に印字出力させる。
【００４６】
外部ハンディコントローラ６５０は、第５の発明の通信手段に相当する。この外部ハンディコントローラ６５０は赤外線送受信部６５１で受信した赤外線信号を電気信号に変換してＣＰＵ６３０に送り、また、ＣＰＵ６３０から入力した電気信号を赤外線信号に変換して送信する。
【００４７】
入力部６６０は、テンキー６６１およびファンクションキー６６２を備えている。
【００４８】
続いて、本実施例の収納バッグ用ロック装置５００および外部コントローラ６００を利用した夜間金庫処理の手順について、図８のフローチャートを用いて説明する。
【００４９】
まず、顧客は、夜間金庫に預け入れる現金や有価証券（小切手、手形）の明細を入金伝票に手書きで記載する（Ｓ８０１）。そして、この入金伝票を、現金・有価証券とともに銀行が予め定めた収納バッグに収納し（Ｓ８０２）、さらに、手作業で、収納バッグ用ロック装置５００の施錠を行う（Ｓ８０３）。ここで、上述のように、本実施例の収納バッグ用ロック装置５００の記憶部５１０には、暗証番号とＩＤデータとが、銀行の営業店で予め記録されている。また、収納バッグにも、銀行の営業店によって予め枝番号が書き込まれている。
【００５０】
そして、顧客は、銀行の営業店の夜間金庫の投入口に、上述の実施例１の場合と同様にして、収納バッグを投函する（Ｓ８０４）。ここで、収納バッグが２個以上ある場合は、顧客は再びキャッシュカードを挿入し、上述の手続きを繰り返す（Ｓ８０５）。
【００５１】
翌朝、営業店では、投函された収納バッグを夜間金庫から取り出し、各収納バッグの収納バッグ用ロック装置５００に記憶されたＩＤデータを、外部コントローラ６００を用いて読み出す（Ｓ８０６）。そして、このＩＤデータを、外部コントローラ６００のプリンタ６２０で一括して印字出力することにより、事務センターへ提出するための送付表を作成する（Ｓ８０７）。その後、この送付表と収納バッグとが、銀行の事務センターへ輸送される。なお、ここではＩＤデータの読み出しに外部コントローラ６００を用いることとしたが、営業店では解錠を行わないので、暗証番号を記憶していないもの或いは解錠機能を有していないものを使用する。
【００５２】
銀行の事務センターでは、送られて来た収納バッグの個数を、各営業店からの送付表と照合する（Ｓ８０８）。そして、外部コントローラ６００を用いて、各収納バッグ施錠装置５００の解錠を行う（Ｓ８０９）。本実施例においても、上述の実施例１の場合と同様、すべての収納バッグ施錠装置５００の暗証番号を同一にしておくことにより、各収納バッグ施錠装置５００の解錠を同時に行うことができる。
【００５３】
続いて、解錠後の収納バッグから現金や小切手等の有価証券と入金伝票とを取出す（Ｓ８１０）。そして、現金の計数を行って（Ｓ８１１）、明細伝票の記載と実際の現金や小切手等との照合を行う（Ｓ８１２）。この照合の結果、問題がなければ、各顧客の口座への入金処理を行い（Ｓ８１３）、顧客に収納バッグを返送する（Ｓ８１４）。
【００５４】
このように、本実施例によっても解錠作業を容易化することができる。また、すべての収納バッグ用ロック装置５００の暗証番号を同一にしておくことにより解錠作業をさらに容易化できることも実施例１の場合と同様である。
【００５５】
また、本実施例によれば、収納バッグ用ロック装置５００にＩＤデータを記憶させることができる。すなわち、本実施例では、収納バッグ用ロック装置５００の解錠を行うことなしに、ＩＤデータの内容を読み取ることができる。したがって、銀行の営業店でのＩＤデータの確認を行うことができるので、送付表の作成が容易となる。
【００５６】
さらに、営業店でＩＤデータを確認することができることにより、収納バッグ紛失や盗難等があった場合に、度の顧客の何番目の収納バッグが紛失等したのかを特定することが容易となる。したがって、この紛失等に対する対策が取り易くなる。
【００５７】
（実施例２）
次に、第２の実施例として、収納バッグ用ロック装置および外部コントローラを含む収納システムを銀行の夜間金庫処理に利用する場合について説明する。
【００５８】
図９は、本実施例に係る収納バッグ用ロック装置９００の電気的構成を示すブロック図である。なお、本実施例に係る収納バッグ用ロック装置の外観は、上述の実施例１の場合と同様であるので、説明を省略する。
【００５９】
図９において、図２と同じ符号を付した構成部分は、それぞれ図２の場合と同じものを示す。
【００６０】
記憶部９１０には、暗証番号およびＩＤデータが、銀行側によって予め記録されている。また、この記憶部９１０には、顧客により収納明細データが書き込まれる。この収納明細データは実施例１および実施例２の入金伝票をデータ化したものである。
【００６１】
制御部９２０は、実施例１，２と同様、通信部１３０が解錠命令と暗証番号とを受信した場合には、この受信した暗証番号と記憶部９１０に記憶された暗証番号と照合し、両者が一致する場合には、施錠部１１０内の解錠制御部１１２に、ファスナー用ロック部１１１の解錠を行わせる。また、実施例２と同様、通信部１３０がＩＤデータ読出命令を受信した場合には、記憶部１２０が記憶しているＩＤデータを読み出し、通信部１３０に送信させる。さらに、通信部１３０が収納明細データ書込命令と収納明細データとを受信した場合には当該収納明細データを記憶部９１０に記憶させ、通信部１３０が収納明細データ読出命令を受信した場合には記憶部９１０が記憶している収納明細データを読み出して通信部１３０に送信させる。
【００６２】
図１０は、本実施例に係る外部コントローラ１０００の電気的構成を示すブロック図である。
【００６３】
同図において、外部ハンディコントローラ１０１０は、第６の発明の通信手段に相当する。この外部ハンディコントローラ１０１０は赤外線送受信部１０１１で受信した赤外線信号を電気信号に変換してターミナルコントローラ１０４０に送り、また、ターミナルコントローラ１０４０から入力した電気信号を赤外線信号に変換して送信する。
【００６４】
硬貨計数機１０２０は、第６の発明の計数手段に相当し、収納バッグから取り出した硬貨を計数する。また、紙幣計数機１０３０も第６の発明の計数手段に相当し、収納バッグから取り出した紙幣を計数する。これらの計数機１０２０，１０３０の計数結果は、ターミナルコントローラ１０４０に送られる。
【００６５】
ターミナルコントローラ１０４０は、第６の発明の通信制御手段、照合手段および処理手段に相当する。このターミナルコントローラ１０４０は、ＣＰＵ１０４１と、記憶部１０４２と、入力操作部（キーボード等）１０４３とを備えている。そして、ＣＰＵ１０４１は、収納バッグ用ロック装置９００を解錠する旨の信号を入力操作部１０４３から入力すると、記憶部１０４２に記憶された暗証番号を読み出し、この暗証番号と解錠命令とを、外部ハンディコントローラ１０１０から送信させる。また、ＩＤデータを読み出す旨の信号を入力操作部１０４３から入力すると、外部ハンディコントローラ１０１０にＩＤデータ読出命令を送信させ、この外部ハンディコントローラ１０１０がＩＤデータを受信するとこの受信データを取り込んで記憶部１０４２に格納する。さらに、収納明細データを読み出す旨の信号を入力操作部１０４３から入力すると、外部ハンディコントローラ１０１０に収納明細データ読出命令を送信させ、この外部ハンディコントローラ１０１０が収納明細データを受信するとこの受信データを取り込んで記憶部１０４２に格納する。
【００６６】
また、ＣＰＵ１０４１は、計数機１０２０，１０３０から入力した計数結果と、外部ハンディコントローラ１０１０が収納バッグ用ロック装置９００から受信した収納明細データとを照合して、一致／不一致を判断する。
【００６７】
このターミナルコントローラ１０４０は、銀行のホストコンピュータ１０５０に接続されており、このホストコンピュータに記憶された顧客口座からＩＤデータによって特定された口座に対して収納明細データが示す金額の入金処理を行わせる。
【００６８】
図１１は、顧客が使用する収納明細データ書込機１１００の電気的構成を示すブロック図である。
【００６９】
同図において、通信部１１１０は、赤外線送信部１１１１を備えている。そして、後述するＣＰＵ１１３０から入力した電気信号を赤外線信号に変換して送信する。
【００７０】
入力部１１２０は、顧客が収納明細データを入力するために使用される。
【００７１】
ＣＰＵ１１３０は、入力部１１２０から入力された収納明細データと収納明細データ書込データとを通信部１１１０に送って赤外線送信部１１１１から送信させるとともに、プリンタ（ジャーナルプリンタ等）１１４０に印字させる。
【００７２】
続いて、本実施例の収納バッグ用ロック装置９００、外部コントローラ１０００および収納明細データ書込機１１００を利用した夜間金庫処理の手順について、図１２のフローチャートを用いて説明する。
【００７３】
まず、顧客は、収納明細データ書込機１１００を用いて、夜間金庫に預け入れる現金や有価証券の明細（収納明細データ）を入力し、この収納明細データを収納バッグ用ロック装置９００の記憶部９１０に書き込む（Ｓ１２０１）。このとき、プリンタ１１４０に収納明細データの印字出力を行わせ、これを入金伝票とする。そして、現金および有価証券を入金伝票とともに銀行が予め定めた収納バッグに収納し（Ｓ１２０２）、さらに、手作業で、収納バッグ用ロック装置９００の施錠を行う（Ｓ１２０３）。本実施例でも、収納バッグ用ロック装置９００の記憶部９１０には、暗証番号とＩＤデータとが、銀行の営業店で予め記録されている。また、収納バッグにも、銀行の営業店によって予め枝番号が書き込まれている。
【００７４】
そして、顧客は、銀行の営業店の夜間金庫の投入口に、上述の実施例１の場合と同様にして、収納バッグを投函する（Ｓ１２０４）。ここで、収納バッグが２個以上ある場合は、顧客は再びキャッシュカードを挿入し、上述の手続きを繰り返す（Ｓ１２０５）。
【００７５】
翌朝、営業店では、投函された収納バッグを夜間金庫から取り出し、各収納バッグの収納バッグ用ロック装置９００に記憶されたＩＤデータを読み出す（Ｓ１２０６）。ここで、このＩＤデータの読み出しには、上述の実施例２で使用した外部コントローラ６００（図６、図７参照）を用いる。そして、このＩＤデータを、この外部コントローラ６００のプリンタ６２０で一括して印字出力することにより、事務センターへ提出するための送付表を作成する（Ｓ１２０７）。その後、この送付表と収納バッグとが、銀行の事務センターへ輸送される。
【００７６】
銀行の事務センターでは、送られて来た収納バッグの個数を、各営業店からの送付表と照合する（Ｓ１２０８）。そして、以下のようにして、各顧客の口座への入金処理を行う。
【００７７】
まず、ターミナルコントローラ１０４０の画面を用いて「夜間金庫入金処理」を選択する。そして、本実施例の外部コントローラ１０００を用いて、各収納バッグ施錠装置９００の解錠を行うとともに、ＩＤデータおよび収納明細データの読み出しを行う（Ｓ１２０９）。なお、本実施例においても、上述の実施例１，２の場合と同様、すべての収納バッグ施錠装置９００の暗証番号を同一にしておくことにより、各収納バッグ施錠装置９００の解錠を同時に行うことができる。
【００７８】
読み出されたＩＤデータおよび収納明細データは、記憶部１０４２に格納されるとともに、順次画面表示される。そして、事務センターの担当者は、解錠後の収納バッグから入金伝票を取り出して、入金伝票の内容（口座番号等）が表示画面と一致しているかどうかをチェックする（Ｓ１２１０）。
【００７９】
続いて、最初の収納バッグから現金を取り出し、外部コントローラ１０００の硬貨計数機１０２０および紙幣計数機１０３０にセットし、計数を開始する（Ｓ１２１１）。
【００８０】
計数が終了すると、計数結果が硬貨計数機１０２０および紙幣計数機１０３０からターミナルコントローラ１０４０に送られる。そして、ターミナルコントローラ１０４０が、計数結果と収納明細データとの照合を行う。
【００８１】
ここで、計数結果と収納明細データとが一致しない場合には、ターミナルコントローラ１０４０の画面に、差額がある旨の表示がなされる。事務センターの担当者は、追加の現金がある場合は計数機１０２０，１０３０にその現金を計数させる。また、有価証券がある場合には、当店券／他店券の区別と枚数・金額とを、順次、ターミナルコントローラ１０４０に手入力する（Ｓ１２１２）。そして、差額が零になれば、口座番号と合計金額とを画面表示させて再度口座のチェックを行う（Ｓ１２１３）。そして、チェックの結果に問題がなければ、この口座番号や合計金額等のデータがホストコンピュータ１０５０に送られ、該当する顧客の口座に対する入金登算が実行される（Ｓ１２１４）。
【００８２】
そして、以上の計数・登算処理（Ｓ１２１３〜Ｓ１２１４）を、２番目以降のすべての収納バッグについて繰り返し、入金処理を終了する。
【００８３】
なお、本実施例では、ターミナルコントローラ１０４０をホストコンピュータ１０５０と通信回線で接続して１回の処理毎に入金登算を行うこととしたが、ターミナルコントローラ１０４０とホストコンピュータ１０５０とを接続せず、入金登算の情報をいったんフロッピーディスク等の外部記憶装置に記憶させておき、最後に一括してホストコンピュータ１０５０での処理を行うこととしてもよい。
【００８４】
このように、本実施例によっても解錠作業を容易化することができる。また、すべての収納バッグ用ロック装置９００の暗証番号を同一にしておくことにより解錠作業をさらに容易化できることも実施例１の場合と同様である。
【００８５】
また、本実施例によっても、収納バッグ用ロック装置９００の解錠を行うことなしにＩＤデータの内容を読み取ることができるので、銀行の営業店でのＩＤデータの確認を行うことができる。
【００８６】
さらに、収納バッグに収納された現金と入金伝票との照合を自動化したので、作業負担を軽減し、作業ミスの発生を防止することができる。
【００８７】
加えて、本実施例によれば、入金伝票をコンピュータに手入力する必要がなく、ターミナルコントローラ１０４０の画面を用いてチェックを行うだけでよいので、作業負担を軽減させることができる。
【００８８】
なお、以上説明した各実施例では、非接触の通信手段として赤外線による送受信手段を用いたが、例えば音波や電波等、他の方法を用いたものを使用してもよいことはもちろんである。通信手段として赤外線を用いた場合には一括解錠のためには各収納バッグ用ロック装置の送受信部（１３１等）の向きをそろえておく必要があるが、音波や電波を用いた場合にはその必要がないので、解錠作業がさらに容易となる。
【００８９】
また、以上の各実施例では、収納バッグ用ロック装置および外部コントローラを含む収納システムを夜間金庫に利用した場合について説明したが、他の用途にも利用できることはもちろんである。
【００９０】
【発明の効果】
以上詳細に説明したように、本発明によれば、解錠作業や収納物の照合作業が容易で、作業ミスや紛失、盗難の対策が取りやすい収納バッグ用ロック装置およびこの収納バッグ用ロック装置に使用する外部コントローラを提供することが可能になる。
【図面の簡単な説明】
【図１】本発明の前提となる係る収納バッグ用ロック装置の外観を示す概略斜視図である。
【図２】図１に示した収納バッグ用ロック装置の電気的構成を概略的に示すブロック図である。
【図３】外部コントローラの電気的構成を示すブロック図である。
【図４】収納バッグ用ロック装置および外部コントローラを利用した夜間金庫処理の手順を説明するためのフローチャートである。
【図５】実施例１に係る収納バッグ用ロック装置の電気的構成を概略的に示すブロック図である。
【図６】実施例１に係る外部コントローラの概略外観図である。
【図７】実施例１に係る外部コントローラの電気的構成を概略的に示すブロック図である。
【図８】実施例１の収納バッグ用ロック装置および外部コントローラを利用した夜間金庫処理の手順を説明するためのフローチャートである。
【図９】実施例２に係る収納バッグ用ロック装置の電気的構成を概略的に示すブロック図である。
【図１０】実施例２に係る外部コントローラの電気的構成を示すブロック図である。
【図１１】実施例２に使用する収納明細データ書込機の電気的構成を示すブロック図である。
【図１２】実施例２の収納バッグ用ロック装置および外部コントローラを利用した夜間金庫処理の手順を説明するためのフローチャートである。
【符号の説明】
１００，５００，９００  収納バッグ用ロック装置
１１０  施錠部
１１１  ファスナー用ロック部
１１２  解錠制御部
１２０，５１０，９１０  記憶部
１３０  通信部
１３１  赤外線送受信部
１４０，５２０，９２０  制御部
１５０  電池収納部
１５１  電池
１６０  電池切ランプ
１７０  キー挿入部
３００，６００，１０００  外部コントローラ
３１０  通信部
３１１，６５１  赤外線送受信部
３２０，６６０  入力部
３３０，６３０，１０４１  ＣＰＵ
６１０  表示部
６２０  プリンタ
６４０，１０４２  記憶部
６５０  外部ハンディコントローラ
６６１  テンキー
６６２  ファンクションキー
１０１０  外部ハンディコントローラ
１０２０  硬貨計数機
１０３０  紙幣計数機
１０４０  ターミナルコントローラ
１０４３  入力操作部
１０５０  ホストコンピュータ
１１００  収納明細データ書込機
１１１０  通信部
１１１１  赤外線送信部
１１２０  入力部
１１３０  ＣＰＵ
１１４０  プリンタ
【図１】
0003583160.tif 000002
【図２】
0003583160.tif 000003
【図３】
0003583160.tif 000004
【図４】
0003583160.tif 000005
【図５】
0003583160.tif 000006
【図６】
0003583160.tif 000007
【図７】
0003583160.tif 000008
【図８】
0003583160.tif 000009
【図９】
0003583160.tif 000010
【図１０】
0003583160.tif 000011
【図１１】
0003583160.tif 000012
【図１２】
0003583160.tif 000013